(57)【要約】【課題】ボルト体が突設されていない屋根の平板部に対しても簡単に屋根上物品取付具を取り付けることのできる、屋根上物品取付具の取付構造を提供する。【解決手段】本屋根上物品取付具の取付構造は、屋根材（屋根１）の平板部１ａに粘着剤１５を介して平板１０を接着し、該平板１０上に屋根上物品取付具２０を取り付けるようにしてなる。【選択図】図１
2014043704.tif 000002
【特許請求の範囲】
【請求項１】
屋根材の平板部に粘着剤を介して平板を接着し、該平板上に屋根上物品取付具を取り付けたことを特徴とする、屋根上物品取付具の取付構造。
【請求項２】
請求項１において、
前記屋根上物品取付具は、前記平板に固定される平板状の固定部と、該固定部の両端より向かい合って上方に延び、ボルト軸孔を有した緊締用起立片とを備えた構成とされ、
前記両緊締用起立片を、両ボルト軸孔に挿通した緊締用ボルトと、緊締用ナットとの螺合により緊締して、両緊締用起立片間に、かつ前記緊締用ボルトの軸部の上に配した、屋根上物品を取り付けるための溝形フレームを固定することを特徴とする、屋根上物品取付具の取付構造。
【請求項３】
請求項２において、
前記平板と、前記屋根上物品取付具の固定部とは両部材に挿通される軸部材で固定されていることを特徴とする、屋根上物品取付具の取付構造。
【請求項４】
請求項１において、
前記平板は、上方に突出したボルト軸部を備えており、
前記屋根上物品取付具は、それぞれにボルト軸孔を有した１組の脚片と、該脚片のそれぞれの下端より相向かうように突出した挟着片とを有して略門形とされ、
前記両脚片を、両ボルト軸孔に挿通した緊締用ボルトと、緊締用ナットとの螺合により緊締して、前記両挟着片で前記ボルト軸部を挟着する構造としたことを特徴とする、屋根上物品取付具の取付構造。
【発明の詳細な説明】
【技術分野】
【０００１】
本発明は、屋根上物品取付具を屋根の平板部に対して取り付けるための屋根上物品取付具の取付構造に関する。
【背景技術】
【０００２】
従来、折板屋根（角波形屋根）、丸波形屋根等の波形屋根の上面に、例えば遮熱シート（屋根上物品）を固定するための溝形フレームや、テレビアンテナ、空調機器、太陽電池パネル等の各種機器・部材類（屋根上物品）を配設するための屋根上物品取付具が種々提案されている（例えば、特許文献１、２参照）。
【０００３】
これらの屋根は複数の屋根材を連結してなり、その連結部である山部には、隣接する屋根材を連結するためのボルト体が突設されている。そのような屋根において、屋根上物品取付具は、その突設したボルト体を用いて固定されることが一般的である。
【０００４】
このような屋根上物品取付具として、１組の挟着片を有した屋根上物品取付具の場合、その挟着片でボルト体の軸部を挟着させて固定すればよい。また、平板状の固定部を有した屋根上物品取付具の場合は、その固定部に固定孔を開設し、その固定孔にボルト体の軸部を挿通させてナット止めして固定すればよい。
【先行技術文献】
【特許文献】
【０００５】
【特許文献１】特開２０１２−４６９４１号公報
【特許文献２】特開２０１２−４６９４２号公報
【発明の概要】
【発明が解決しようとする課題】
【０００６】
ところで、それらの屋根上物品取付具を種々の屋根に取り付ける場合、折板屋根の場合では、屋根材の連結部ではない山部のうちの所望の位置に取り付けたいとの要望があり、また平板状の屋根の場合では、その平板部のうちの所望の位置に取り付けたいとの要望がある。
【０００７】
しかしながら、屋根上物品取付具の取付位置が施工前にすでに決まっている場合は、予めその取付位置に対応した屋根材の部位にボルト体を下方より突出固定させておけばよいが、屋根を敷設した後に取付位置を定める場合には、防水構造を考慮する必要もあるため、そのようなボルト体を突設させることはきわめて困難である。
【０００８】
本発明は、このような事情を考慮して提案されたもので、その目的は、ボルト体が突設されていない屋根の平板部に対しても簡単に屋根上物品取付具を取り付けることのできる、屋根上物品取付具の取付構造を提供することにある。
【課題を解決するための手段】
【０００９】
上記目的を達成するために、請求項１に記載の屋根上物品取付具の取付構造は、屋根材の平板部に粘着剤を介して平板を接着し、該平板上に屋根上物品取付具を取り付けたことを特徴とする。
【００１０】
請求項２に記載の屋根上物品取付具の取付構造は、屋根上物品取付具は、平板に固定される平板状の固定部と、該固定部の両端より向かい合って上方に延び、ボルト軸孔を有した緊締用起立片とを備えた構成とされ、両緊締用起立片を、両ボルト軸孔に挿通した緊締用ボルトと、緊締用ナットとの螺合により緊締して、両緊締用起立片間に、かつ緊締用ボルトの軸部の上に配した、屋根上物品を取り付けるための溝形フレームを固定することを特徴とする。
【００１１】
請求項３に記載の屋根上物品取付具の取付構造は、平板と、屋根上物品取付具の固定部とが両部材に挿通される軸部材で固定されていることを特徴とする。
【００１２】
請求項４に記載の屋根上物品取付具の取付構造は、平板は、上方に突出したボルト軸部を備えており、屋根上物品取付具は、それぞれにボルト軸孔を有した１組の脚片と、該脚片のそれぞれの下端より相向かうように突出した挟着片とを有して略門形とされ、両脚片を、両ボルト軸孔に挿通した緊締用ボルトと、緊締用ナットとの螺合により緊締して、両挟着片でボルト軸部を挟着する構造としたことを特徴とする。
【発明の効果】
【００１３】
請求項１に記載の屋根上物品取付具の取付構造によれば、屋根材の平板部に粘着剤を介して接着した平板の上に屋根上物品取付具を取り付けた構成であるため、屋根上物品取付具を屋根の平板部の種々の位置に取り付けることができる。特に、屋根材に屋根上物品取付具を固定するための構造が形成されていない場合、平板にそのような固定構造を設けることで、屋根上物品取付具を確実に屋根上に固定することができる。
【００１４】
請求項２に記載の屋根上物品取付具の取付構造によれば、屋根上物品取付具は、両緊締用起立片を、両ボルト軸孔に挿通した緊締用ボルトと、緊締用ナットとの螺合により緊締して、両緊締用起立片間に、かつ前記緊締用ボルトの軸部の上に配した、屋根上物品を取り付けるための溝形フレームを固定する構成となっているので、溝形フレームを安定的に屋根上に固定することができる。
【００１５】
請求項３に記載の屋根上物品取付具の取付構造によれば、平板と、屋根上物品取付具の固定部とは両部材に挿通される軸部材で固定される構成であるので、リベットやボルト、ナットを用いて簡単に取付作業を行える。
【００１６】
請求項４に記載の屋根上物品取付具の取付構造によれば、屋根上物品取付具は、１組の脚片の緊締により、挟着片で平板に設けたボルト軸部を挟着する構造となっているので、種々の屋根上物品を屋根上に固定することができる。
【図面の簡単な説明】
【００１７】
【図１】本発明の一実施形態に係る屋根上物品取付具の取付構造の分解縦断面図である。
【図２】同屋根上物品取付具による溝形フレームの取付状態を示した縦断面図である。
【図３】同屋根上物品取付具の説明図であり、（ａ）は屋根上物品取付具の締め付け前の状態を示す正面図、（ｂ）は同締め付け後の状態を示す正面図、（ｃ）は同側面図、（ｄ）は同平面図、（ｅ）は同屋根上物品取付具を屋根上に取り付けるための平板の斜視図である。
【図４】本発明の他の実施形態に係る屋根上物品取付具の取付構造を示す分解縦断面図である。
【図５】同屋根上物品取付具の取付状態を示した縦断面図である。
【発明を実施するための形態】
【００１８】
以下に、本発明の実施の形態について、添付図面をもとにして説明する。
【００１９】
図１は、本発明の一実施形態に係る屋根上物品取付具の取付構造の分解縦断面図である。図２は、同屋根上物品取付具による溝形フレームの取付状態を示した縦断面図である。図３は同屋根上物品取付具の説明図であり、図３（ａ）は屋根上物品取付具の締め付け前の状態を示す正面図、図３（ｂ）は同締め付け後の状態を示す正面図、図３（ｃ）は同側面図、図３（ｄ）は同平面図、図３（ｅ）は同屋根上物品取付具を屋根上に取り付けるための平板の斜視図である。
【００２０】
この屋根上物品取付具２０は、例えば平板状の屋根１（屋根材）の平板部１ａに、図３（ｅ）に示したような平板１０を介して取り付けられる。
【００２１】
屋根１は、平板状の屋根材を複数連結して形成されている。屋根材の両端には結合部（不図示）が形成されており、屋根材同士は結合部同士のはぜ結合などにより連結されている。平板１０は、屋根１の平板部１ａに設置される。なお、結合部同士によるはぜ結合部は上方に突出するものに限られず、下方に突出し、その上面側を平板（面一）状にしたものでもよく、平板１０を面一になったはぜ結合部の上面側に、隣接する両屋根材に跨るように設置するようにしてもよい。
【００２２】
平板１０は、図３（ｅ）に示すように平面視略矩形であり、その中央には屋根上物品取付具２０を載置固定するための載置部１１が形成されている。この載置部１１は上方に膨出した形状とされ、その中央には軸孔１１ａが開設してあり、その裏側にはリベット２（軸部材）のかしめ部２ａを収容する収容凹部１２が形成されている。なお、この平板１０の平面寸法は、後述する屋根上物品取付具２０の固定部２１の平面寸法より十分に大きいほうが、屋根上物品取付具２０を安定設置するうえで好ましい。また、平板１０の平面形状は矩形に限られず円形、楕円形などでもよい。
【００２３】
また、平板１０の載置部１１の周囲の４箇所には、屋根上物品取付具を安定設置するための突起１３、１３、・・・が形成されている。
【００２４】
平板１０の裏面には粘着剤１５が取り付けられている。粘着剤１５としては、種々の接着剤を利用できるが、両面テープを用いてもよい。
【００２５】
屋根上物品取付具２０は、図３（ａ）〜図３（ｄ）に示すように、平板１０の載置部１１に載置固定される平板状の固定部２１と、固定部２１の両端より向かい合って上方に延び、ボルト軸孔２２ａ、２２ａを有した緊締用起立片２２、２２とを備えてなる。固定部２１の略中央には、平板の載置部にリベット止めするための固定孔２１ａが開設されている。
【００２６】
緊締用起立片２２の両側端には、他方の緊締用起立片２２側に延びた突出片２３、２３が形成されている。突出片２３は、その上部において、さらに突出した、遮熱シート（不図示）などの屋根上物品を取り付けるための溝形フレーム５を固定するための押圧部２３ａを備えている。
【００２７】
両緊締用起立片２２、２２は上部が相互に遠ざかるようにやや開いており、両緊締用起立片２２、２２のボルト軸孔２２ａ、２２ａに挿通された緊締用ボルト２５と、緊締用ナット２６とを螺合、螺進させることで、両緊締用起立片２２、２２の上部が相互に近づくように構成されている（図３（ａ）（ｂ）参照）。
【００２８】
緊締用ボルト２５の頭部２５ａが配される一方の緊締用起立片２２の外面のボルト軸孔２２ａの両側には、緊締用ナット２６を緊締用ボルト２５に螺合して緊締する際に緊締用ボルト２５が供回りしないように、回り止め片２２ｂが設けられている。
【００２９】
このような屋根上物品取付具２０と、平板１０とは、固定孔２１ａと軸孔１１ａとにリベット２の軸を通してかしめ止めされている。
【００３０】
リベット２のかしめ部２ａは、平板１０の収容凹部１２に収容されている。なお、本図例のものは、かしめ部２ａは平板１０の裏面よりも下方に突出しないように収容凹部１２に収容され、そのかしめ部２ａを覆うように平板１０の裏面全体に粘着剤１５が取着されているが、粘着剤１５は平板１０の裏面の一部に配設してもよい。
【００３１】
屋根上物品取付具２０は、平板１０に固定された状態では、平板１０の載置部１１が固定部２１を支持し、さらに４つの突起１３、１３、・・・が固定部２１の端部を当接支持することで固定されている。
【００３２】
平板１０に屋根上物品取付具２０を予めリベット２で結合させ、裏面に粘着剤１５を貼り付け、剥離紙を取り付けておけば、現場で屋根上物品取付具２０を平板１０を含んで一体として簡単に屋根１に取付固定することができる。また、予め平板１０の裏面の収容凹部１２を除く部位に剥離紙付きの粘着剤１５を取り付けたものに対して、その後、現場などで屋根上物品取付具２０をリベット２で固定するようにしてもよい。
【００３３】
なお、平板１０と屋根上物品取付具２０との連結はリベット２によらず、ボルト、ナットの螺合によってでもよい。つまり、ボルトを軸部材とした構成としてもよい。その場合、後述する図４の実施形態と同様に、ボルト３の頭部３ｂが平板１０の収容凹部１２に収容されるようにすればよい。
【００３４】
こうして、屋根上物品取付具２０は、平板１０を介して屋根１の平板部１ａに取り付けられる。そして、このようにして屋根上に取り付けられた複数の屋根上物品取付具２０に、図２に示すように溝形フレーム５が取付固定される。
【００３５】
溝形フレーム５は、遮熱シートなどの屋根上物品を取り付けるための支持フレームである。溝形フレーム５は、複数の屋根上物品取付具２０に架設するように、開いた状態にある緊締用起立片２２、２２間の空間に挿入されて、挿通された緊締用ボルト２５の軸部２５ｂに載せ置かれ、さらに緊締用ボルト２５と緊締用ナット２６との螺合により両緊締用起立片２２、２２を緊締することで、両緊締用起立片２２、２２の上部が相互に近づき、溝形フレーム５の側壁５ａ、５ａが突出片２３、２３の押圧部２３ａ、２３ａで押圧されて、固定される。
【００３６】
こうして溝形フレーム５は、屋根上物品取付具２０による上記固定構造と、平板１０の粘着剤１５による屋根１への固定構造とによって、屋根１上にしっかりと取付固定される。
【００３７】
以上のように、屋根上物品取付具２０は屋根材の平板部１ａに粘着剤１５を介して接着した平板１０の上に取り付けられる構成であるため、屋根上物品取付具２０を屋根１の平板部１ａの種々の位置に取り付けることができる。特に、本実施形態の平板１０には上記のような軸部材による固定構造が設けられているので、屋根材に屋根上物品取付具２０を固定するためのボルト体のような固定構造が形成されていない場合でも、屋根上物品取付具２０を確実に屋根１の上に固定することができる。
【００３８】
また、屋根上物品取付具２０の固定部２１の平面寸法が小さく、その裏面を粘着剤１５で屋根上に取り付けるだけでは不安定な場合には、平板１０を介することで、屋根上物品取付具２０を安定的に設置することができる。
【００３９】
ついで、本発明の他の実施形態に係る屋根上物品取付具の取付構造について、図４および図５をもとに説明する。図４は、同屋根上物品取付具の取付構造を示す分解縦断面図である。図５は、同屋根上物品取付具の取付状態を示した縦断面図である。
【００４０】
本実施形態では、平板１０は図１と同様のものが用いられている。すなわち、平板１０は略矩形であり、その中央には屋根上物品取付具３０を載置固定するための載置部１１が形成されている。この載置部１１は上方に膨出した形状とされ、中央には軸孔１１ａが開設してあり、その裏側には収容凹部１２が形成されている。なお、本実施形態では、この収容凹部１２には、屋根上物品取付具３０をボルト軸部３ａへの挟着によって平板１０に固定するためのボルト３の頭部３ｂが収容される。なお、図４に示したように、本実施形態の平板１０には突起１３（図１参照）はなくてもよい。
【００４１】
一方、屋根上物品取付具３０は、金属板または硬質樹脂板よりなり、平板１０の収容凹部１１に頭部３ｂが収容され上方に突出したボルト３のボルト軸部３ａに挟着させて、取り付け、固定する構造となっている。
【００４２】
具体的には、屋根上物品取付具３０は、種々の屋根上物品を固定する台座部３１と、その両端から下方に延びた一対の脚片３２、３２と、脚片３２、３２のそれぞれの下端から、先端が相対向するように折曲形成された挟着片３３、３３とが一体的に形成されて略門形に形成されている。
【００４３】
この屋根上物品取付具３０は、対向する両脚片３２、３２に開設されたボルト軸孔３２ａ、３２ａに貫通された緊締用ボルト３５と、緊締用ナット３６との螺合によって、両脚片３２、３２を緊締して、両挟着片３３、３３の先端を相互に近接させて、ボルト軸部３ａに挟着させる構造となっている。なお、緊締用ボルト３５のボルト頭部を配した脚片３２の外面には、図３に示した屋根上物品取付具２０の回り止め片２２ｂと同様の回り止め片を設けることが望ましい。
【００４４】
挟着片３３は上向きに傾斜形成され、その先端部にはボルト３のボルト軸部３ａを嵌め入れるための係止凹所３３ａが形成され、その係止凹所３３ａ、３３ａ同士でボルト軸部３ａを挟着するようになっている。なお、係止凹所３３ａにはボルト軸部３ａに係止されるための係止片が形成されていてもよい。
【００４５】
なお、図４、図５には、屋根上物品取付具３０の台座部３１に、溝形フレーム５を固定するためのフレーム取付具２０Ａをリベット２で取り付けた例を示している。このフレーム取付具２０Ａは、図１に例示した屋根上物品取付具２０と（緊締用起立片２２の）高さだけを異ならせた同構造の取付具であり、屋根上物品取付具２０と同様の緊締固定構造により溝形フレーム５を固定できるようになっている。このフレーム取付具２０Ａの各部の構成については、上述の屋根上物品取付具２０と同様の符号を付してその説明は省略する。この屋根上物品取付具３０には、このようなフレーム取付具２０Ａだけではなく種々の屋根上物品が取り付けられることは言うまでもなく、例えば溝形フレーム５を台座部３１に直接取り付けるようにしてもよい。
【００４６】
このような屋根上物品取付具３０は、平板１０に、予め取り付けたボルト３を介して結合させるとともに、平板１０の裏面には粘着剤１５を貼り付け、さらに剥離紙を取り付けておけば、現場で屋根上物品取付具３０を平板１０を含んで一体として屋根１に取付固定することができる。
【００４７】
また、図４の例のように、平板１０にボルト３を取り付けたものを屋根上に配設してから、フレーム取付具２０Ａを取り付けた屋根上物品取付具３０を固定するようにしてもよい。ボルト３の頭部３ｂを収容凹部１２に収容させた状態で粘着剤１５を裏面全体に設けておけばボルト３が抜け落ちず、平板１０とボルト３とを一物品として取り扱うことができるので、部品管理がしやすくなる。
【００４８】
このように本実施形態に示した屋根上物品取付具の取付構造も、図１の実施形態のものと同様、平板１０を用いて屋根上物品取付具２０を屋根１に固定する構造であるため、屋根上物品取付具２０を屋根１の種々の位置に取り付けることができる。特に、平板１０には上記のようなボルト軸部３ａによる固定構造が設けられているので、屋根材に屋根上物品取付具３０を固定するための構造が形成されていない場合でも、屋根上物品取付具３０を確実に屋根上に固定することができる。またさらに、屋根上物品取付具３０は台座部３１を備えているので、種々の形状の屋根上物品をその台座部３１の上に取付固定することができる。
【００４９】
また、図４に示した屋根上物品取付具３０は、従来の折板屋根の屋根材の連結部材であるボルト体に挟着固定できるようにしたものであり、本実施形態のように平板１０を介して取り付けられるようにしたことで、そのような折板屋根用の屋根上物品取付具３０を平板屋根にも流用することができる。
【００５０】
以上のように、上記の実施形態に用いられる平板１０には、図１に示した屋根上物品取付具２０であればリベット２またはボルト、ナットなどの軸部材を介して固定することができ、図４に示した屋根上物品取付具３０であればボルト３のボルト軸部３ａを介して固定することができるため、つまり、平板１０には屋根上物品取付具２０、３０を取り付けるための軸体が設けられているため、ボルト体が突設されていない屋根１の平板部１ａに対して、屋根上物品取付具２０、３０を簡易にかつ確実、強固に取り付けることができる。
【００５１】
なお、屋根上物品取付具は上記のような構造には限定されず、種々の構造、種々の形状のものであってもよい。また、屋根上物品取付具が挟着構造などの特段の固定構造を有さず、粘着剤１５で平板１０に固定されるようにしたものであってもよい。
【００５２】
上記の実施形態では、屋根上物品取付具２０、３０を平板状の屋根に取り付ける例を示したが、折板屋根の山部などの平板部に平板１０を介して取り付けることも可能である。例えば、屋根材同士を連結したはぜ部やボルト体が形成されていない山部に、上記の屋根上物品取付具の取付構造を適用すれば、そのような連結部ではない山部にも屋根上物品取付具を簡単に取り付けることができる。
【００５３】
なお、平板１０には図１に示した軸部材や図４に示したボルト軸部３ａなどの軸体を設けずに軸孔１１ａのみを設けておき、その軸孔１１ａに屋根材連結用にボルト体を通して、粘着剤１５で屋根１に固定し、軸孔１１ａを挿通し突出した軸体を用いて屋根上物品取付具２０、３０を固定する構造としてもよい。つまり、従来の屋根上物品取付具の取付構造に平板１０を付加する構成としてもよい。このような構成であっても、平板１０の平面寸法を屋根上物品取付具２０、３０を十分に大きくしておけば、従来にくらべて大きな安定感が得られる。
【符号の説明】
【００５４】
１          屋根（屋根材）
１ａ        平板部
２          リベット（軸部材）
２ａ        かしめ部
３          ボルト
３ａ        ボルト軸部
３ｂ        頭部
５          溝形フレーム
１０        平板
１１        載置部
１１ａ      軸孔
１２        収容凹部
１３        突起
１５        粘着剤
２０        屋根上物品取付具
２１        固定部
２１ａ      固定孔
２２        緊締用起立片
２２ａ      ボルト軸孔
２２ｂ      回り止め片
２３        突出片
２３ａ      押圧部
２５        緊締用ボルト
２６        緊締用ナット
３０        屋根上物品取付具
３１        台座部
３２        脚片
３２ａ      ボルト軸孔
３３        挟着片
３５        緊締用ボルト
３６        緊締用ナット
【図１】
2014043704.tif 000003
【図２】
2014043704.tif 000004
【図３】
2014043704.tif 000005
【図４】
2014043704.tif 000006
【図５】
2014043704.tif 000007